(57)【特許請求の範囲】
【請求項１】
浄化槽主槽と浄化槽副槽とからなる浄化槽であって、前記浄化槽主槽に前記浄化槽副槽を載置状態で支持する支持部を設けてある浄化槽。
【請求項２】
上下一対の分割部材を設けて、前記分割部材それぞれの開口縁部にフランジ部を設け、互いのフランジ部同士を突き合わせて前記両分割部材を一体に接合して前記浄化槽主槽を構成し、前記フランジ部を前記支持部に形成してある請求項１に記載の浄化槽。
【請求項３】
前記浄化槽副槽を上側ほど大きく開口する上広がり形状に形成するとともに、下端部を前記フランジ部に載置可能に形成してある請求項２に記載の浄化槽。
【請求項４】
被処理水を吸引して濾過膜を透過させる吸引ポンプを備えた膜分離槽を備えた浄化槽主槽を設け、前記濾過膜を透過した被処理水を消毒する消毒槽を設けてある浄化槽であって、
前記消毒槽を前記浄化槽主槽本体とは別体の浄化槽副槽に設けてある請求項１〜３のいずれか１項に記載の浄化槽。
【発明の詳細な説明】
【０００１】
【発明の属する技術分野】
本発明は、浄化槽主槽と浄化槽副槽とからなる浄化槽に関し、より具体的には、たとえば、被処理水を吸引して濾過膜を透過させる吸引ポンプを備えた膜分離槽を備えた浄化槽主槽を設け、前記濾過膜を透過した被処理水を消毒する消毒槽を設けてある浄化槽に関する。
【０００２】
【従来の技術】
従来、浄化槽としては、前記浄化槽主槽のみからなるものが汎用されているが、膜分離槽を経由した再利用可能な被処理水を消毒して一時貯留するなどの目的で、浄化槽を浄化槽主槽と浄化槽副槽とから構成した２槽分離型のものが提案されている。
このような浄化槽は、汚泥をほとんど含まない清浄な被処理水を、汚泥成分を大量に含有している被処理水から分離する意味で有効に用いられるものである。つまり、別ケーシングとすることによって、内部の被処理水成分を安定させられると同時に、メンテナンスも容易に行えるという効果が期待できるのである。
【０００３】
【発明が解決しようとする課題】
しかし、このような構成の浄化槽は、２槽を連結する接続配管が必要となって、配管作業が煩わしくなりがちである。また、このような施工作業を行ったとしても、雨水による地盤のゆるみ、地盤沈下等による地盤の移動等により、前記２槽の相対位置が変わってしまうことがあり、前記接続配管に支障が生じるおそれがあった。このような現象は、小型で軽量の浄化槽副槽に対して発生しやすい現象であると考えられ、特に、浄化槽副槽の安定配設が望まれている。
【０００４】
従って、本発明の目的は、上記実状に鑑み、２槽分離型であっても安定配置しやすい浄化槽を提供することにある。
【０００５】
【課題を解決するための手段】
この目的を達成するための本発明の浄化槽の特徴構成は、
浄化槽主槽と浄化槽副槽とからなる浄化槽であって、前記浄化槽主槽に前記浄化槽副槽を載置状態で支持する支持部を設けてある点にある。
また、上下一対の分割部材を設けて、前記分割部材それぞれの開口縁部にフランジ部を設け、互いのフランジ部同士を突き合わせて前記両分割部材を一体に接合して前記浄化槽主槽を構成し、前記フランジ部を前記支持部に形成してあってもよい。
さらに、前記浄化槽副槽を上側ほど大きく開口する上広がり形状に形成するとともに、下端部を前記フランジ部に載置可能に形成してあってもよく、
被処理水を吸引して濾過膜を透過させる吸引ポンプを備えた膜分離槽を備えた浄化槽主槽を設け、前記濾過膜を透過した被処理水を消毒する消毒槽を設けてある浄化槽においては、
前記消毒槽を前記浄化槽主槽本体とは別体の浄化槽副槽に設けてあれば好ましい。
また、本発明の浄化槽の設置方法の特徴構成は、
少なくとも２つのケーシングからなる浄化槽において、互いのケーシング同士を連携させて、土中における安定姿勢を形成させつつ埋設することにある。
また、浄化槽を浄化槽主槽と浄化槽副槽とから構成し、前記浄化槽主槽に、前記浄化槽副槽を載置した状態で、両槽を一体に埋設することが好ましい。
【０００６】
〔作用効果〕
浄化槽主槽と浄化槽副槽とからなる浄化槽において、前記浄化槽主槽に前記浄化槽副槽を載置状態で支持する支持部を設けてあると、より安定な浄化槽主槽に、前記浄化槽副槽を支持させた状態で取り扱うことができ、安定に埋設でき、接続配管等を確実なものにできる。この際、浄化槽の主な機能を有する（通常一番大きな）部分を浄化槽主槽と称し、他をすべて浄化槽副槽と称するものとする。また、浄化槽副槽の数も問わない。また、前記浄化槽副槽を前記浄化槽主槽に支持させる際に、両者は接着、締結により、一体化してあることが取り扱い上好ましい。
【０００７】
また、上下一対の分割部材を設けて、前記分割部材それぞれの開口縁部にフランジ部を設け、互いのフランジ部同士を突き合わせて前記両分割部材を一体に接合して前記浄化槽主槽を構成してあれば、前記浄化槽主槽は、前記フランジ部において水密に接合されるとともに、そのフランジ部が前記主槽の埋設姿勢を安定化させる。また、このフランジ部は、浄化槽外方に突出させられているので、前記フランジ部に前記浄化槽副槽を係合させるなどすれば、前記浄化槽副槽を安定に支持させることが可能になる。この際、前記浄化槽副槽は、前記浄化槽主槽の外面形状に沿った形に成形してあることが好ましく、このようにしてあれば、一体化の際に容易かつ確実な両者の連係構造をとることができる。
【０００８】
さらに、前記浄化槽副槽を上側ほど大きく開口する上広がり形状に形成するとともに、下端部を前記フランジ部に載置可能に形成してあれば、前記浄化槽副槽は狭いフランジ部上にも容易に載置でき、前記浄化槽主槽に確実に支えられる構造とできるとともに、開口部においては、メンテナンス等の際に作業容易な空間を確保しやすい。
【０００９】
被処理水を吸引して濾過膜を透過させる吸引ポンプを備えた膜分離槽を備えた浄化槽主槽を設け、前記濾過膜を透過した被処理水を消毒する消毒槽を設けてある浄化槽においては、
前記消毒槽を前記浄化槽主槽本体とは別体の浄化槽副槽に設けてあることで、前記浄化槽主槽、副槽の大きく異なる被処理水組成が、互いに混ざってしまうおそれを排除しやすく、たとえば、消毒槽内の被処理水を再利用に供するような場合に有利である。また、特にメンテナンスの必要性の高い消毒槽部分を前記膜分離槽部分と分離したことから、管理すべき空間を絞り込むことができ、メンテナンス作業者の作業能率の向上が図れる。
【００１２】
【発明の実施の形態】
以下に本発明の実施の形態を図面に基づいて説明する。
図１に示す浄化槽１００について説明すると、被処理水が上流側から夾雑物除去槽Ｎ、流量調整槽Ｂ１、沈殿汚泥貯留槽Ｂ２、膜分離槽Ｅを記載順に移流するように構成される浄化槽主槽１０１と、消毒槽Ｑ兼ポンプ９配置スペースをなす浄化槽副槽１０２から構成されており、各槽間は隔壁Ｗで仕切られている。
前記浄化槽主槽は上側本体１０１ａと下側本体１０１ｂとを、フランジ部１０３で突き合わせ接合し、水処理空間を形成している。
【００１３】
前記夾雑物除去槽Ｎは、流入口Ｉから流入した原水を被処理水として受け、その被処理水から沈殿する固形物および液面に発生するスカム等の固体成分を分離しつつ、主に前記原水の液体成分を流量調整槽Ｂへ自然移流自在に構成し、内部には被処理水を嫌気分解する嫌気性菌を育成してある。
尚、図中Ｆは、夾雑物除去槽Ｎの幅方向中央部に開口部Ｆ１を設けた移流管であり、前記夾雑物除去槽Ｎの基準水位以上になった被処理水が濾材Ｆ２により濾過されて前記開口部Ｆ１から前記流量調整槽Ｂに流入するように構成したものである。また、前記移流管Ｆの上部には前記基準水位よりもやや上方の所定水位に達した被処理水を前記流量調整槽Ｂ以外へ案内する第一、第二案内路Ｇ１，Ｇ２を設けてある。
【００１４】
前記流量調整槽Ｂ１は、計量装置１ａおよび移送用エアリフトポンプ１ｂを備えてなり、前記夾雑物除去槽Ｎから自然移流してきた被処理水の前記液体成分を一時貯留して、前記膜分離槽Ｅへ移送管１ｃを介してほぼ定量的に移送可能に形成してある。
【００１５】
前記膜分離槽Ｅは、被処理水を複数の濾過膜としての平膜Ｍにより濾過して浄化するものであり、この膜分離槽Ｅ内では被処理水の有機成分を好気分解する好気性菌が育成されている。さらに、槽内に平膜Ｍを取り付けた状態で、その平膜Ｍの下方に、気泡を供給して、平膜Ｍ表面に汚泥等が付着するのを防止する散気管Ｄを設けてある。従って、この散気管Ｄより、散気操作することで前記好気性菌に酸素を供給し、かつ、前記平膜の表面を洗浄して、平膜Ｍの膜分離処理性能を高く維持できる。
【００１６】
濾過膜としての前記平膜Ｍは、被処理水導通部を内方に有するＡＢＳ樹脂製の支持板の両表面にポリエチレン製の濾過膜部材を接着形成するとともに、前記被処理水導通部に連通するノズル４を連設してなり、前記平膜Ｍを被処理水に浸漬した状態で、前記ノズル４から吸引操作すると、被処理水が前記濾過膜部材を通過して、その濾過膜部材によって被処理水中の汚泥等が除去され、高度に浄水された被処理水を取り出すことが出来る。ここで、この濾過膜部材６は、孔径０．３μｍ以下の限界濾過膜であり、このような孔径のものを選択することにより、長期間の使用に対して、膜内汚染を防止でき、長期メンテナンスフリーの運転が可能となる。
【００１７】
前記ノズル４は、浄化槽副槽１０２の消毒槽Ｑに設けた吸引ポンプ９に連通接続され、この吸引ポンプ９を運転操作する事で前記平膜Ｍで膜分離処理された被処理水（膜透過被処理水と称する）を、浄化槽外部に設けられる消毒機構としての消毒槽Ｑへ送りだす。ここで、図示するように、前記吸引ポンプ９は浄化槽側壁１０４外部部位に設けられてメンテナンスの容易性が確保されるとともに、吸引ポンプ９は、膜分離槽Ｅの最低水位より低い位置に配設されている。従って、吸引ポンプ９が停止した場合においても、吸引ポンプ９内には、被処理水が残留して、再始動時の呼び水となる。
前記浄化槽副槽１０２は、上部側ほど広口に形成してあり、その側壁部は、前記浄化槽主槽１０１に沿う形状とし、支持部としての前記フランジ部１０３に載置した状態で接着一体化により前記浄化槽主槽１０１に安定支持させることのできる構成としてある。
【００１８】
前記移流管Ｆ上部に設けた第一案内路Ｇ１は、前記消毒槽Ｑに連通接続されており、被処理水を前記膜分離槽Ｅを介さずに前記消毒槽Ｑに供給す可能にする越流機構を構成している。前記夾雑物除去槽Ｎ及び流量調整槽Ｂ１の水位が高い場合に槽内に大量流入した低負荷被処理水をそのまま前記消毒槽Ｑに移送して、再生水として用いることができるようになっている。また、前記第二案内路Ｇ２は、前記浄化槽主槽１０１とは別体に設けた一時貯留槽Ｔに連通接続してあり、先と同様の場合でも、昼間に前記低負荷処理水が大量流入して、前記用水配管からの給水と合流する可能性があるような場合には、前記第一案内路Ｇ１を閉鎖しておき、前記低負荷被処理水を一時貯留槽Ｔに貯留することができるように構成してある。尚このような第一、第二案内路Ｇ１，Ｇ２の切り替えは、タイマ連動の切り替え機構（図外）により行う。
【００１９】
上記の構成を採用することにより、流入口Ｉから流入した原水は、夾雑物除去槽Ｎで固液分離されつつ、流量調整槽Ｂを介して定量的に膜分離槽Ｅに移送され、膜分離槽Ｅで高度に浄水された後、消毒槽Ｑを介して浄化槽外へ定量排出される。この消毒槽Ｑを介した被処理水は、有効に再利用をはかることができるものとなっている。
【００２０】
尚、このような浄化槽は、互いのケーシング同士を連携させて、土中における安定姿勢を形成させつつ埋設する。
つまり、浄化槽主槽１０１と浄化槽副槽１０２とを、前記浄化槽主槽１０１の支持部としてのフランジ部１０３に前記浄化槽副槽１０２を載置した状態で固定し、両槽を一体に埋設する。このように、浄化槽を浄化槽主槽１０１と浄化槽副槽１０２とから構成し、前記浄化槽主槽１０１に、前記浄化槽副槽１０２を載置した状態とすることで、前記浄化槽副槽１０２の荷重を前記浄化槽主槽１０１で受けさせ、前記浄化槽副槽１０２の不安定化が防げ、全体としての安定化が図れる。
【００２１】
また、前記支持部としては、フランジ部１０３を用いる他、前記浄化槽主槽１０１と、浄化槽副槽１０２とに互いに係合する係合部を設けて支持部に形成してあっても良い。
【図面の簡単な説明】
【図１】本発明の実施例における浄化槽の縦断側面図
【図２】本発明の実施例における浄化槽の平面図
【符号の説明】
１００  浄化槽
１０１  浄化槽主槽
１０２  浄化槽副槽
１０３  支持部
【図１】
0003618251.tif 000002
【図２】
0003618251.tif 000003